(57)【要約】  異なるパスを介して受信されたＲＦ信号とより良く同期するための特別な伝送パスのための各フィンガー処理信号素子を有するフィンガー（１，２，３）と、各フィンガーに起因する結果を組み合わせるコンバイナ（４）とフィードバックループ内で制御発振器の形態をとる補償器とを備えた符号分割多重接続（ＣＤＭＡ）通信システムにおけるレイク受信機。フィンガー内にフィンガー補償器を設置することにより、フィンガーが、高速状態におけるドップラ変動のような複雑な状態を扱うことができる。好ましくは、ほとんどの又はすべてのフィンガーの各々がそのような一つのフィンガー補償器を備え、この場合、フィードバックループが不要になる。入力シンボル信号と結合既入力シンボル信号とを乗算し、そして、出力シンボル信号と既に出力されたシンボル信号とを乗算するための二つの算術モジュール（２０，２５）の間にフィルタ（２１）と増幅度正規化器（２２）とを備えた場合、そのようなフィンガー補償器はハードウエア、ソフトウエア又は両者の組み合わせとすることができる。
2005514856.tif 000002
【特許請求の範囲】
【請求項１】
少なくとも二つのフィンガーとこれらフィンガーに結合された一つのコンバイナと一つの補償器とを備えたレイク受信機であって、少なくとも一つのフィンガーは一つのフィンガー補償器を備えたことを特徴とするレイク受信機。
【請求項２】
前記フィンガー補償器は入力シンボル信号を受信し、出力シンボル信号を発生するために、直列に結合されたフィルタと増幅度正規化器とを備えたことを特徴とする請求項１に記載のレイク受信機。
【請求項３】
前記フィンガー補償器はさらに、前記入力シンボル信号と結合既入力シンボル信号とを乗ずるための第一の算術モジュールと、前記出力シンボル信号と既に出力されたシンボル信号とを乗ずるための第二の算術モジュールとを備えたことを特徴とする請求項２に記載のレイク受信機。
【請求項４】
少なくとも一つのフィンガーはパイロットチャネル校正器とトラフィックチャネル校正器とを備え、前記フィンガー補償器の出力が第三、第四の算術モジュールの各々の第一の入力に結合され、該第三、第四の算術モジュールの各々の第二の入力が前記パイロットチャネル校正器とトラフィックチャネル校正器との出力に結合されることを特徴とする請求項３に記載のレイク受信機。
【請求項５】
少なくとも一つのフィンガーは平均化ユニットを備え、該平均化ユニットの入力が前記第三の算術モジュールの出力に結合され、前記平均化ユニットの出力が第五の算術モジュールの第一の入力に結合され、該第五の算術モジュールの第二の入力が前記第四の算術モジュールの出力に結合されることを特徴とする請求項４に記載のレイク受信機。
【請求項６】
ほとんどのフィンガーの各々が一つのフィンガー補償器を備え、すべてのフィンガー補償器が前記補償器を形成することを特徴とする請求項１に記載のレイク受信機。
【請求項７】
前記レイク受信機は、中間周波数信号をベースバンド信号に変換するためのミキサを備え、該ミキサは安定化発振器に結合された発振器入力を備えることを特徴とする請求項６に記載のレイク受信機。
【請求項８】
少なくとも二つのフィンガーとこれらフィンガーに結合された一つのコンバイナと一つの補償器とを備えたレイク受信機において用いられるフィンガーであって、前記フィンガーは一つのフィンガー補償器を備えたことを特徴とするフィンガー。
【請求項９】
少なくとも一つの携帯用ユニットと、少なくとも一つの無線通信用ネットワークとを備えたシステムであって、少なくとも一つのユニットが少なくとも二つのフィンガーとこれらフィンガーに結合された一つのコンバイナと一つの補償器とを備えたレイク受信機を少なくとも一つ有し、少なくとも一つのフィンガーは一つのフィンガー補償器を備えたことを特徴とするシステム。
【請求項１０】
少なくとも二つのフィンガーとこれらフィンガーに結合された一つのコンバイナと一つの補償器とを備えたレイク受信機を少なくとも一つ有する携帯用ユニットであって、少なくとも一つのフィンガーは一つのフィンガー補償器を備えたことを特徴とする携帯用ユニット。
【請求項１１】
少なくとも二つのフィンガーとこれらフィンガーに結合された一つのコンバイナと一つの補償器とを備えたレイク受信機を少なくとも一つ有するネットワークユニットであって、少なくとも一つのフィンガーは一つのフィンガー補償器を備えたことを特徴とするネットワークユニット。
【請求項１２】
少なくともレイク受信機の部分に応じて信号を補償する方法であって少なくとも二つのフィンガー処理工程と一つの組み合わせ工程と一つの補償工程とを備え、少なくとも一つのフィンガー処理工程がさらなる信号を補償する副工程を備えたことを特徴とする方法。
【請求項１３】
少なくともレイク受信機の部分を実現し、プロセサを介して動作する少なくとも二つのフィンガー機能と一つの組み合わせ機能と一つの補償機能とを備えるプロセサプログラムプロダクトであって、少なくとも一つのフィンガー機能が一つのフィンガー補償機能を備えたことを特徴とするプロセサプログラムプロダクト。
【請求項１４】
一つのフィンガーを実現し、プロセサを介して動作する一つのフィンガー機能を備え、前記プロセサを介して動作する少なくとも二つのフィンガー機能と一つの組み合わせ機能と一つの補償機能とにより少なくとも部分的に実現するレイク受信機の少なくとも一部分と組み合わさって用いられるプロセサプログラムプロダクトであって、前記フィンガー機能が一つのフィンガー補償機能を備えたことを特徴とするプロセサプログラムプロダクト。
【発明の詳細な説明】
【技術分野】
【０００１】
この発明は、少なくとも二つのフィンガー(fingers)とこれらフィンガーに結合された一つのコンバイナ(combiner)と一つの補償器(compensator)とを備えたレイク受信機に関する。
【０００２】
さらにこの発明は、少なくとも二つのフィンガーとこれらフィンガーに結合された一つのコンバイナと一つの補償器とを備えたレイク受信機におけるフィンガーの使用と、少なくとも一つの携帯用ユニットと少なくとも一つの無線通信用ネットワークとを備えたシステムであって、少なくとも一つのユニットが少なくとも二つのフィンガーとこれらフィンガーに結合された一つのコンバイナと一つの補償器とを備えたレイク受信機を少なくとも一つ有するシステムと、少なくとも二つのフィンガーとこれらフィンガーに結合された一つのコンバイナと一つの補償器とを備えたレイク受信機を少なくとも一つ有する一つの携帯用ユニットと、少なくとも二つのフィンガーとこれらフィンガーに結合された一つのコンバイナと一つの補償器とを備えたレイク受信機を少なくとも一つ有するネットワークユニットと、少なくともレイク受信機の部分に応じて信号を補償する方法であって少なくとも二つのフィンガー処理工程と一つの組み合わせ工程と一つの補償工程とを備えた方法と、少なくともレイク受信機の部分を実現する（例えばソフトウエアプロダクトやコンピュータプログラムプロダクトのような）プロセサプログラムプロダクトであってプロセサを介して動作する少なくとも二つのフィンガー機能と一つの組み合わせ機能と一つの補償機能とを備えたプロセサプログラムプロダクトと、フィンガーを実現する（例えばソフトウエアプロダクトやコンピュータプログラムプロダクトのような）プロセサプログラムプロダクトであってプロセサを介して動作するフィンガー機能を備え、このプロセサを介して動作する少なくとも二つのフィンガー機能と一つの組み合わせ機能と一つの補償機能とにより少なくとも部分的に実現するレイク受信機の少なくとも一部分と組み合わさって用いられるプロセサプログラムプロダクトに関する。
【背景技術】
【０００３】
レイク受信機は、伝送された信号のマルチパス成分を別々にフィンガー（又はレイクアーム）に処理させ、そして、例えばコンバイナを用いてそれらのエネルギを組み合わせることによりマルチパス伝搬（例えば伝送された信号が受信される前にビルディング等により反射した時に生じるマルチパス伝搬）を利用する。これについては、さらに特に、上記フィンガー（又はレイクアーム）がマルチパス要素を追跡して収集する。このようなレイク受信機は、上記携帯用ユニットが例えば移動電話で上記ネットワークが例えば基地局、スイッチ、ルータ、ブリッジ、サーバ等として、例えば符号分割多重接続（ＣＤＭＡ）通信システムや広帯域符号分割多重接続（ＷＣＤＭＡ）通信システムに用いられる。
【０００４】
このようなレイク受信機はＥＰ０９８９６８７Ａ２により知られ、これは三つのフィンガーと、これらフィンガーの複数出力に複数入力が結合された一つのコンバイナと、入力がコンバイナの出力と結合され出力が制御発振器を介してミキサの発振入力に結合され例えば中間周波数信号をベースバンド信号に変換し、これらベースバンド信号が上記フィンガーに供給される補償器とを備えたレイク受信機を開示している。各フィンガーは一つの異なる伝送パスと通信してこの異なる伝送パスのための信号成分を処理し（最終的に、反射等により異なる複数の伝送パスを介して受信されるＲＦ信号とより良く同期するために）、これら処理された信号成分は（上記他の複数の伝送パスと通信する）他の複数フィンガーからの処理された信号成分と共にコンバイナにより組み合わされ、そしてさらなる処理等を受ける。補償器は、コンバイナの出力と制御発振器とミキサとを介したそれらフィンガーの複数入力との間に位置しているため、制御発振器を制御してレイク受信機に対し周波数変動補償を行う。
【０００５】
この発明の目的は、とりわけ、さらに複雑な状況でも対応できるレイク受信機を提供することである。
【発明の開示】
【課題を解決するための手段】
【０００６】
この発明のレイク受信機は少なくとも一つのフィンガーが一つのフィンガー補償器を備えていることである。
【０００７】
上記フィンガーに上記フィンガー補償器を備えたことにより、例えば、レイク受信機全体に対して一つの補償が得られるのに加えて、個々がフィンガー補償器を備えているフィンガー各々を介して個々の伝送パスがそれぞれ補償が得られることになる。このフィンガー補償器は、例えば、フィンガーの複数校正器の複数出力信号を補償する。従って、フィンガー補償器は（例えば、数学的に）シンボル信号を補償する。
【０００８】
この発明は、とりわけ、個々の伝送パスに対してそれぞれ補償を与えられるという基本的な発想を基にしている。
【０００９】
この発明は、とりわけ、受信機毎で（単に）周波数変動補償を行うのではなく、例えば、さらに、フィンガー毎に周波数変動補償を行う（即ち、伝送パス毎に補償を行う）ことに起因する（例えば５００ｋｍ/ｈ）高速状態でのドップラ周波数変動等のさらに複雑な状態でも対処できるレイク受信機を提供する際の問題を解決するものである。
【００１０】
請求項２に規定されたこの発明のレイク受信機の第一の実施形態は、前記フィンガー補償器は、例えば、ＦＩＲフィルタのような前記フィルタと前記増幅度正規化器とを備えたという点で有利である。
【００１１】
請求項３に規定されたこの発明のレイク受信機の第二の実施形態は、このフィンガー補償器全体がハードウエア、ソフトウエア、又は、両者の組み合わせで構成することができるという点で有利である。
【００１２】
請求項４に規定されたこの発明のレイク受信機の第三の実施形態は、前記少なくとも一つのフィンガーは公知のパイロットチャネル校正器と公知のトラフィックチャネル校正器とを備え、前記フィンガー補償器の出力が、例えばマルチプライヤ等の第三、第四の算術モジュールの各々の第一の入力に結合され、該第三、第四の算術モジュールの各々の第二の入力が前記パイロットチャネル校正器とトラフィックチャネル校正器との出力に結合されて、前記フィンガー補償器により周波数変動が予測され、その後、両校正器の後に、周波数変動を補償するために、前記第三、第四の算術モジュールが結合され予測された周波数変動と両校正器の出力信号とを乗算するという点で有利である。
【００１３】
請求項５に規定されたこの発明のレイク受信機の第四の実施形態は、前記少なくとも一つのフィンガーはさらに公知の平均化ユニットを備え、該平均化ユニットの入力が前記第三の算術モジュールの出力に結合され、前記平均化ユニットの出力が、例えばマルチプライヤ等の第五の算術モジュールの第一の入力に結合され、該第五の算術モジュールの第二の入力が前記第四の算術モジュールの出力に結合され、ハードウエア、ソフトウエア、又は、両者の組み合わせで構成することができるという点で有利である。
【００１４】
請求項６に規定されたこの発明のレイク受信機の第五の実施形態は、ほとんどの又は好ましくはすべてのフィンガーの各々が前記フィンガー補償器を備え、すべてのフィンガー補償器が前記補償器を形成し、ほとんどの又は好ましくはすべての伝送パスが個々に補償されるという点で有利である。
【００１５】
請求項７に規定されたこの発明のレイク受信機の第六の実施形態は、前記レイク受信機が中間周波数信号をベースバンド信号に変換するためのミキサを備え、該ミキサは安定化発振器に結合された発振器入力を備え、フィードバックループ内の制御発振器からの供給が不要となるという点で有利である。
【００１６】
この発明のフィンガー、この発明のシステム、この発明の携帯ユニット、この発明のネットワークユニット、この発明の方法、そしてこの発明の両プロセサプログラムプロダクトの実施形態はこの発明のレイク受信機の実施形態に対応する。
【００１７】
これら並びにさらなるこの発明の特徴は以下に記載された実施形態により明らかにさらまた詳細に説明される。
【発明を実施するための最良の形態】
【００１８】
図１はこの発明の三つのフィンガー１，２，３を備えたこの発明のレイク受信機のブロックダイアグラムを示す図であり、フィンガー１，２，３の入力がＡ/Ｄコンバータ５の出力に結合され、フィンガー１，２，３の出力がコンバイナ４の入力に結合されている。Ａ/Ｄコンバータ５の入力がミキサ６の出力に結合され、ミキサー６の第一入力が例えば中間周波数（ＩＦ）信号を受信し、第二入力が安定化発振器の出力に結合されて、ＩＦ信号をベースバンド信号例えば同相（Ｉ）成分と直交（Ｑ）成分とにダウンコンバートし、これらの成分はＡ/Ｄコンバータ５（通常、Ａ/Ｄコンバータ５は二つのサブコンバータを備える）によりオーバサンプルされそしてデジタルサンプルに定量化される。これらサンプルはすべてのフィンガー１，２，３に供給され、フィンガー１，２，３がこれらサンプルを収集し復調してシンボル信号とする。
【００１９】
図２は、フィンガー補償器２０乃至２５を備えたこの発明のフィンガー１，２、３のブロックダイアグラムを示す図である。フィンガー補償器２０乃至２５は例えばマルチプライヤ２０のような算術モジュール２０を備え、算術モジュール２０の第一入力がフィンガー補償器２０乃至２５の入力となり、算術モジュール２０の第二入力が遅延導入器２３の出力に結合されている。遅延導入器２３の入力が算術モジュール２０の第一入力に結合され、算術モジュール２０の出力が、例えばＦＩＲフィルタ２１のようなフィルタ２１の入力に結合されている。フィルタ２１の出力が増幅度正規化器２２の入力に結合され、増幅度正規化器２２の出力が例えばマルチプライヤ２５のような算術モジュール２５の第一入力に結合されている。マルチプライヤ２５の出力が遅延導入器２４を介して算術モジュール２５の第二入力に結合されフィンガー補償器２０乃至２５の出力となる。
【００２０】
図２に示されているこの発明のフィンガー１，２、３はさらに（パイロットチャネルを収集し瞬間的に位相と増幅度を推定するための）公知のチャネル校正器１０と、（データチャネルを収集するための）公知のトラフィックチャネル校正器１２とを備え、両者は（PN meaning Pseudo Noise CodeとＰＮトラッカとさらには可能で有ればさらなる公知の技術であるＰＮコード発振器、マルチプライヤ、積分器を有し、受信信号と局部的に発生された拡散コードとの間の位相オフセットを推定し調整するための）公知のＰＮトラッカ１１により制御される。校正器１０、１２とＰＮトラッカ１１との入力がフィンガー１，２、３の入力となる。校正器１０の出力がフィンガー補償器２０乃至２５の入力に結合され、そして、例えばマルチプライヤ１３である算術モジュール１３の第一入力に結合され、マルチプライヤ１３の第二入力がフィンガー補償器２０乃至２５の出力に結合され、マルチプライヤ１３の出力が、例えば複数シンボル重み付け平均化（Weight Multiple Symbol Average、WMSA)のような公知の平均化ユニット１５に結合されている。校正器１２の出力が例えばマルチプライヤ１４である算術モジュール１４の第一入力に結合され、マルチプライヤ１４の第二入力がフィンガー補償器２０乃至２５の出力に結合され、マルチプライヤ１４の出力が算術モジュール１６の第一入力に結合され、算術モジュール１６の第二入力が平均化ユニット１５の出力に結合されている。算術モジュール１６の出力がフィンガー１，２、３の出力となる。
【００２１】
例えば、符号分割多重接続（ＣＤＭＡ）通信システムや広帯域符号分割多重接続（ＷＣＤＭＡ）通信システムにおいて、ＲＦ信号が携帯用ユニット例えば移動電話とネットワークユニット例えば基地局、スイッチ、ルータ、ブリッジ、サーバ等との間で交換される。
【００２２】
これらのユニットは、マルチパス受信（即ち、例えば反射によりＲＦ信号が異なるパスを介して受信され、それらフィンガーにより個々に処理され、その後、組み合わさって上記ＲＦ信号とより良く同期するように）を扱うレイク受信機を備える。従来技術によれば、レイク受信機は、周波数変動を補償する（自動周波数制御又はＡＦＣ）制御発振器（補償器）を含むフィードバックループを備える。この補償器の入力に各フィンガーのさらなる出力又はコンバイナの出力が結合される。しかし、このようなＡＦＣループは、通常異なる補償を必要とする異なる伝送パスに起因する（例えば５００ｋｍ/ｈ）高速状態でのドップラ周波数変動を扱うことはできない。
【００２３】
この発明は、とりわけ、ＡＦＣループは、通常異なる補償を必要とする異なる伝送パスに起因する高速状態でのドップラ周波数変動を扱うことはできないという見識を基にしており、さらに、とりわけ、個々の伝送パスのために個々に補償を行うことを基にしている。
【００２４】
そのことに関し、図２に示されるように、この発明の一つ乃至複数のフィンガー１，２，３は各々フィンガー補償器２０乃至２５を備え、各フィンガー補償器は校正器１０から入力シンボル信号を受信し、算術モジュール２０と遅延導入器２３を介してその入力シンボル信号は既に結合した入力シンボル信号と（結合的に）乗算され、組み合わせ信号となり、これはフィルタ２１を介して平滑化され、その後、増幅度が増幅度正規化器２２により正規化される。この信号は出力シンボル信号で算術モジュール２５と遅延導入器２４を介して既に出力された信号と乗算される。この組み合わせ出力シンボル信号は算術モジュール１３，１４に供給されて校正器１０，１２の結合出力信号と（結合的に）乗算され、その後、算術モジュール１３の出力信号が平均化ユニット１５により処理された後、算術モジュール１４の出力信号が算術モジュール１３の出力信号と算術モジュール１６により（結合的に）乗算される。これら算術モジュール１３，１４、１６そして２０が結合すべきそれら信号を結合するか、又は、図に示されないさらなるモジュールがそれら信号を結合し、この信号の結合は公知の技術である。
【００２５】
その結果、例えば、特性付けるためのフィルタ２１且つ又は増幅度正規化器２２，フィンガー補償器２０乃至２５により各フィンガーがさらに複雑な状況、例えば、高速状態におけるドップラ周波数変動を取り扱うことができるようになる。さらに、フィンガー補償器を含むフィンガー全体を、非常に柔軟なソフトウエア、又は、非常に高速なハードウエア、又は、両者の組み合わせで構成することができる。そこで、図１、２に示す各ブロックダイアグラムは１００％ハードウエア、又は、１００％ソフトウエア、又は、両者の組み合わせで構成することができる。図１、２に示す各ブロックは図１、２に示す他の各ブロックと一体化することができる。
【００２６】
図３に示すこの発明の方法とこの発明のプロセサプログラムプロダクトを示すフローチャートにおいて、以下のブロックは以下のような意味を持つ。  
ブロック３０：受信信号と局部ＰＮコードとの間の位相をＰＮトラッキングする。  
ブロック３１：チャネルパラメータを推定するための局部ＰＮコードによりサンプルを収集し、結果は入力シンボル信号となる。  
ブロック３２：ユーザデータを発生するための局部ＰＮコードによりサンプルを収集する。  
ブロック３３：上記入力シンボル信号と結合既入力シンボル信号とを（結合的に）乗算する。  
ブロック３４：この乗算入力シンボル信号を平滑化する。  
ブロック３５：この平滑化された乗算入力シンボル信号の増幅度を正規化し、結果は出力シンボル信号となる。  
ブロック３６：この出力シンボル信号と既に出力されたシンボル信号とを乗算する。
ブロック３７：上記入力シンボル信号と結合乗算出力シンボル信号とを（結合的に）乗算し、結果は第一の組み合わせ信号となる。  
ブロック３８：上記ユーザデータと上記結合乗算出力シンボル信号とを（結合的に）乗算し、結果は第二の組み合わせ信号となる。  
ブロック３９：第一の組み合わせ信号の平均値を計算する。  
ブロック４０：第一の組み合わせ信号の結合平均値と第二の組み合わせ信号とを（結合的に）乗算する。
【００２７】
上記ブロック３０乃至４０の各々は方法の一（サブ）工程且つ又はプロセサプログラムプロダクトの一（サブ）機能、さらには、以下の述べるように実行すべき複数（サブ）工程且つ又は複数（サブ）機能に相当する。フィンガーを機能を実現するためのこの発明の方法とこの発明のプロセサプログラムプロダクトは以下のように機能する。
【００２８】
多重接続干渉（Multiple Access Interference MAI）とシンボル間干渉（Intersymbol Interference）を無視すると、ブロック３０、３１そして３２の入力での受信信号は、
【数１】
2005514856.tif 000003
と表すことができ、r(t)は受信複合信号、nはシンボル番号、h(n)は（１シンボル時間で静的と仮定した）無線伝搬パラメータ、Cpilot(t)はＰＮコードとチップ波形とを含むトラフィックチャネルの拡散信号、C traffic(t)はトラフィックチャネルの拡散信号、a(n)はシンボル信号、Δωはオフセット搬送周波数、m(t)は雑音、そしてTsはシンボル期間である。トラフィック信号と雑音m(t)からの干渉を無視すると、ブロック３１の出力においてパイロット校正出力信号は、
【数２】
2005514856.tif 000004
と表すことができ、“INT [nTs → (n+1) Ts] of”はnTs から(n+1) Ts] of等への積分を表している。オフセット搬送周波数が無い場合、Δω = 0、完全な無線伝搬パラメータは
【数３】
2005514856.tif 000005
と表すことができ、校正器に対するΔωの影響は
【数４】
2005514856.tif 000006
と表すことができる。
【００２９】
オフセット搬送周波数Δωの影響が二つあるのは明らかで、即ち、増幅度減衰[2・sin(Δω・Ts/2)/(Ts・sin(Δω)]と、（nに依存して）変化する位相変動Δω・n・Tsと固定位相変動Δω・Ts/2とにより成る位相変動である。増幅度減衰は非常に小さく許容できるものである。ブロック３３の出力において、増幅度減衰を無視し、１シンボル期間での無線伝搬パラメータが微小な変化を示すと仮定すると、即ち、h(n) = h(n ・ 1)である場合、信号を
【数５】
2005514856.tif 000007
と表すことができる。
【００３０】
ＦＩＲ平滑化と増幅度正規化の後、ブロック３５の出力において位相変動推定を
【数６】
2005514856.tif 000008
と表すことができる。
【００３１】
ブロック３６の出力において補償信号を
【数７】
2005514856.tif 000009
と表すことができ、Φ(0)が固定初期位相を表す。そして、増幅度減衰を無視した場合の補償後のパイロットシンボル信号を
【数８】
2005514856.tif 000010
と表すことができる。
【００３２】
同様に、補償後のトラフィックパイロットシンボル信号を
【数９】
2005514856.tif 000011
と表すことができる。
【００３３】
両等式は固定位相｛Δω・Ts/2-Φ(0)｝を示しているだけでこれは何の影響も無くブロック３９から除去され、その結果、オフセット搬送周波数Δωの影響が低減される。
【００３４】
上記等式且つ又は式の各々は上記のように宣言され、そして、上記等式且つ又は式の各部分はこの発明の方法のさらなる一（サブ）工程且つ又はこの発明のプロセサプログラムプロダクトのさらなる一（サブ）機能と考えることができる。上記この発明のフィンガー補償器、フィンガー並びに上記この発明のレイク受信機の少なくともほとんどの部分は、例えば、デジタル信号プロセサを介したソフトウエアの形態とすることができ、これは非常に柔軟性があり、数百万のユニットのために一回だけ書き込まれるということでさらなる効果がある。しかし、さらにハードウエアの形態とすることができ、非常に安定しており、フィードバックループ内に補償器が不要ということでこの発明は非常に効果がある。
【図面の簡単な説明】
【００３５】
【図１】この発明の複数のフィンガーを備えたこの発明のレイク受信機のブロックダイアグラムを示す図である。
【図２】一つのフィンガー補償器を備えたこの発明の一つのフィンガーのブロックダイアグラムを示す図である。
【図３】一つのフィンガーを実現するためのこの発明の方法とプロセサプログラムプロダクトを示すフローチャートを示す図である。
【図１】
2005514856.tif 000012
【図２】
2005514856.tif 000013
【図３】
2005514856.tif 000014
【国際調査報告】
2005514856.tif 000015
2005514856.tif 000016
2005514856.tif 000017